(57)【要約】      （修正有）【課題】異なる大きさの画像表示パネルを用いることができ、簡易に快適な遊技空間を提供することができる表示装置を提供する。【解決手段】カバーは、画像表示パネル４の対向する一方の２辺の額縁Ｒ２を覆う第１カバー５１、５１と、画像表示パネル４の対向する他方の２辺の額縁Ｒ２を覆う第２カバー５２、５３と、を有し、第１カバー５１、５１は、画像表示パネル４の対向する一方の２辺の額縁Ｒ２に対応した大きさに形成する。かつ、交換可能に形成されて、画像表示パネル４に取り付けられ、第２カバー５２、５３は、画像表示パネル４に取り付け可能に第２カバー５２、５３を互いに連結させ、第２カバー５２、５３間の距離を調整可能な調整機構を有し、調整機構は、一方の第２カバー５３に設けられるナット５３５に、他方の第２カバー５２を介してナット５３５に取り付けられるボルト５２６のボルト止めにより調整を行う。【選択図】図７
0003162320.tif 000002
【実用新案登録請求の範囲】
【請求項１】
遊技機の上部に保持され、所望の画像を表示する表示装置であって、
有効表示領域に画像を表示する画像表示パネルと、
前記有効表示領域の周囲の額縁を覆うカバーと、
前記画像表示パネルを前記遊技機の上部に保持する保持部と、を備え、
前記カバーは、前記画像表示パネルの対向する一方の２辺の額縁を覆う第１カバーと、前記画像表示パネルの対向する他方の２辺の額縁を覆う第２カバーと、を有し、
前記第１カバーは、前記画像表示パネルの対向する一方の２辺の額縁に対応した大きさに形成され、かつ、交換可能に形成されて、前記画像表示パネルに取り付けられ、
前記第２カバーは、前記画像表示パネルに取り付け可能に当該第２カバーを互いに連結させ、当該第２カバー間の距離を調整可能な調整機構を有し、
前記調整機構は、一方の第２カバーに設けられるナットに、他方の第２カバーを介して前記ナットに取り付けられるボルトのボルト止めにより調整を行い、
異なる大きさの有効表示領域の画像表示パネルを用いることができる表示装置。
【請求項２】
前記第１カバーは、一方の面と、当該一方の面に対応する他方の面を有しており、前記一方の面に取り付けられるネジにより前記画像表示パネルを前記他方の面に押し付けることで、前記画像表示パネルに取り付けられることを特徴とする請求項１記載の表示装置。
【請求項３】
前記保持部は、前記画像表示パネルの表示角度を調整可能な角度調整機構を備えることを特徴とする請求項１または２記載の表示装置。
【請求項４】
前記保持部は、前記遊技機の上部に設けられる幕板の表面に取り付けられることを特徴とする請求項１から３のいずれか１項に記載の表示装置。
【請求項５】
遊技機島の上部において各遊技機に対応して設けられ、所望の画像を表示する表示装置を有する表示システムであって、
前記表示装置に画像を表示させる表示制御装置を備え、
前記表示装置は、
有効表示領域に画像を表示する画像表示パネルと、
前記有効表示領域の周囲の額縁を覆うカバーと、
前記画像表示パネルを前記遊技機の上部に保持する保持部と、を備え、
前記カバーは、前記画像表示パネルの対向する一方の２辺の額縁を覆う第１カバーと、前記画像表示パネルの対向する他方の２辺の額縁を覆う第２カバーと、を有し、
前記第１カバーは、前記画像表示パネルの対向する一方の２辺の額縁に対応した大きさに形成され、かつ、交換可能に形成されて、前記画像表示パネルに取り付けられ、
前記第２カバーは、前記画像表示パネルに取り付け可能に当該第２カバーを互いに連結させ、当該第２カバー間の距離を調整可能な調整機構を有し、
前記調整機構は、一方の第２カバーに設けられるナットに、他方の第２カバーを介して前記ナットに取り付けられるボルトのボルト止めにより調整を行い、
異なる大きさの有効表示領域の画像表示パネルを用いることができる表示システム。
【考案の詳細な説明】
【技術分野】
【０００１】
本考案は、遊技機の上部において所望の画像を表示する表示装置及び表示システムに関する。
【背景技術】
【０００２】
従来より、パチンコ機やスロットマシン等の遊技機を配設する遊技店においては、遊技機を列設して、いわゆる遊技島を構成し、遊技機の上方には球やコインを補給する補給樋や遊技店の管理コンピュータと各遊技機とを結ぶ信号線や給電線等が配設してある。これらの樋や配線は、外部から見えないように遊技島の上部を幕板によって覆われている。
この幕板においては、広告や遊技機の情報が印刷されたシート等を貼り付けて情報を表示する表示面として、利用されている。
また、特許文献１に記載の発明のように、幕板を有機ＥＬパネルのような表示装置により構成し、所望の画像を表示する表示領域として利用することができるものが知られている。
【先行技術文献】
【特許文献】
【０００３】
【特許文献１】特開２００４−８５８９号公報
【考案の概要】
【考案が解決しようとする課題】
【０００４】
ところで、機体の寿命とは別に使用を終えた遊技機は、廃棄処分されているという実情があった。機体の寿命により廃棄処分されていないために、遊技機においては、遊技機に搭載される機器は利用可能な状態で廃棄処分される。これは、近年のリサイクルの要請の観点からも好ましくない。
そこで、本考案者は、遊技機の廃棄処分に伴い遊技機に搭載された入賞等の表示を行う液晶パネル等の画像表示パネルも廃棄処分されており、再利用が図られていないという現状に着目した。その結果、上述した問題とともに画像表示パネルの有効利用することを見出し、本考案を完成するに至った。
本考案は、簡易に快適な遊技空間を提供することを目的とする。
【課題を解決するための手段】
【０００５】
（１）遊技機の上部に保持され、所望の画像を表示する表示装置であって、
有効表示領域に画像を表示する画像表示パネルと、
前記有効表示領域の周囲の額縁を覆うカバーと、
前記画像表示パネルを前記遊技機の上部に保持する保持部と、を備え、
前記カバーは、前記画像表示パネルの対向する一方の２辺の額縁を覆う第１カバーと、前記画像表示パネルの対向する他方の２辺の額縁を覆う第２カバーと、を有し、
前記第１カバーは、前記画像表示パネルの対向する一方の２辺の額縁に対応した大きさに形成され、かつ、交換可能に形成されて、前記画像表示パネルに取り付けられ、
前記第２カバーは、前記画像表示パネルに取り付け可能に当該第２カバーを互いに連結させ、当該第２カバー間の距離を調整可能な調整機構を有し、
前記調整機構は、一方の第２カバーに設けられるナットに、他方の第２カバーを介して前記ナットに取り付けられるボルトのボルト止めにより調整を行い、
異なる大きさの有効表示領域の画像表示パネルを用いることができる表示装置。
【０００６】
（１）の表示装置は、遊技機の上部に配置されるために、遊技機の上部の領域を表示領域にすることができるために、快適な遊戯空間を提供することができる。また、（１）の表示装置は、例えば、幕板の前面に配置した場合には、幕板の交換等を行わずに既存の幕板を使用することができるため、幕板の表面に装飾等が施されていた場合には、幕板の装飾効果に加えて、本表示装置によりさらに快適な遊技空間を提供することができる。
【０００７】
また、（１）の表示装置は、様々な大きさの液晶パネルに対応可能なカバーにより液晶パネルを覆っている。このため、（１）の表示装置においては、廃棄処分されたパチンコ機に搭載されていた液晶パネルや既製品等の液晶パネルを簡易に利用することができる。特に、廃棄される遊技機に搭載された液晶パネルを利用することができ、液晶パネルに関するコストを低減させることができる上に、リサイクルの観点も同時に満足させることができる。
【０００８】
（２）前記第１カバーは、一方の面と、当該一方の面に対応する他方の面を有しており、前記一方の面に取り付けられるネジにより前記画像表示パネルを前記他方の面に押し付けることで、前記画像表示パネルに取り付けられることを特徴とする（１）記載の表示装置。
【０００９】
（２）の表示装置は、画像表示パネルの形状に影響されることなく、第１カバーを画像表示パネルに取り付けることができる。
【００１０】
（３）前記保持部は、前記画像表示パネルの表示角度を調整可能な角度調整機構を備えることを特徴とする（１）または（２）に記載の表示装置。
【００１１】
（３）の表示装置は、表示面を表示する対象に応じた方向に向けることができるため、表示効果をさらに高めることができる。
【００１２】
（４）前記保持部は、前記遊技機の上部に設けられる幕板の表面に取り付けられることを特徴とする（１）から（３）のいずれかに記載の表示装置。
【００１３】
（４）の表示装置は、保持部により幕板の表面に取り付けられるために、幕板の開閉時に幕板とともに開閉移動するために、邪魔になることが無い。
【００１４】
（５）遊技機島の上部において各遊技機に対応して設けられ、所望の画像を表示する表示装置を有する表示システムであって、
前記表示装置に画像を表示させる表示制御装置を備え、
前記表示装置は、
有効表示領域に画像を表示する画像表示パネルと、
前記有効表示領域の周囲の額縁を覆うカバーと、
前記画像表示パネルを前記遊技機の上部に保持する保持部と、を備え、
前記カバーは、前記画像表示パネルの対向する一方の２辺の額縁を覆う第１カバーと、前記画像表示パネルの対向する他方の２辺の額縁を覆う第２カバーと、を有し、
前記第１カバーは、前記画像表示パネルの対向する一方の２辺の額縁に対応した大きさに形成され、かつ、交換可能に形成されて、前記画像表示パネルに取り付けられ、
前記第２カバーは、前記画像表示パネルに取り付け可能に当該第２カバーを互いに連結させ、当該第２カバー間の距離を調整可能な調整機構を有し、
前記調節機構は、一方の第２カバーに設けられるナットに、他方の第２カバーを介して前記ナットに取り付けられるボルトのボルト止めにより調整を行い、
異なる大きさの有効表示領域の画像表示パネルを用いることができる表示システム。
【００１５】
（５）の表示システムは、遊技機の上部に配置されるために、遊技機の上部の領域を表示領域にすることができるために、遊技機島において快適な遊戯空間を提供することができる。また、（５）の表示システムの表示装置は、例えば、幕板の前面に配置された場合には、幕板の交換等を行わずに既存の幕板を使用することができるため、幕板の表面に装飾等が施されていた場合には、幕板の装飾効果に加えて、本表示システムによりさらに遊技機島において快適な遊技空間を提供することができる。
【００１６】
また、（５）の表示システムは、様々な大きさの液晶パネルに対応可能なカバーにより液晶パネルを覆っている。このため、（５）の表示システムにおいては、廃棄処分されたパチンコ機に搭載されていた液晶パネルや既製品等の液晶パネルを簡易に利用することができる。特に、廃棄される遊技機に搭載された液晶パネルを利用することができ、液晶パネルに関するコストを低減させることができる上に、リサイクルの観点も同時に満足させることができる。
【考案の効果】
【００１７】
本考案によれば、異なる大きさの画像表示パネルを用いることができるため、簡易に快適な遊技空間を提供することができる。
【図面の簡単な説明】
【００１８】
【図１】本考案のパチンコ島における表示システムを示す概念図である。
【図２】本考案のパチンコ島の正面図である。
【図３】幕板に取り付けた状態を示す図で、（ａ）は標準の液晶パネルを用いた表示装置を取り付けた状態を示す斜視図、（ｂ）は小型の液晶パネルを用いた表示装置を取り付けた状態を示す斜視図である。
【図４】表示装置を幕板に取り付ける状態を示す図である。
【図５】保持部における角度調整機構を示す図で、（ａ）は第２保持部材に第１保持部材を取り付ける状態を示す図、（ｂ）は固定部材の取り付けを示す図、（ｃ）は液晶パネルの角度の調節を示す図である。
【図６】液晶パネルと側方カバーを示す図で、（ａ）は液晶パネルへの側方カバーの取り付けを示す図、（ｂ）は液晶パネルへの側方カバーのネジによる固定を示す図、（ｃ）は小型の液晶パネルを用いる場合に用いる側方カバーを示す図である。
【図７】液晶パネルとカバーを示す図で、（ａ）液晶パネルへの上下カバーの取り付けを示す図、（ｂ）は上下カバーの液晶パネルへの取り付け時の調整を示す図である。
【図８】カバーを取り付けた液晶パネルを背面方向から見た斜視図である。
【考案を実施するための形態】
【００１９】
以下、本実施形態の表示システムＳについて、図１を用いて説明する。図１は、本考案のパチンコ島Ｐ１（遊技機島）における表示システムＳを示す概念図である。
本実施形態の表示システムＳは、各パチンコ機Ｐ２、Ｐ２、Ｐ２・・・の上部に設けられる呼び出しボタンや幕板Ｐ３に対応して配置される表示装置１と、表示装置１に画像を表示させる表示制御装置２とを備える。
【００２０】
本実施形態において、表示装置１が配置される幕板Ｐ３は、図１に示すように、パチンコ機Ｐ２の上部の球給通路（図示せず）や配線（図示せず）等を覆い隠す板であり、内部の配線等を外部から取り扱うことができるように、各パチンコ機Ｐ２の上部に配置されるとともに、パチンコ機Ｐ２の天面に位置する天板Ｐ４（取り付け部）に蝶番Ｐ５を介して開閉可能に取り付けられる。
【００２１】
また、幕板Ｐ３には、本実施形態においては、例えば、幕板Ｐ３の下部に設けられているパチンコ機Ｐ２の機種に対応する絵柄等が印刷された装飾シート（図示せず）が貼り付けられる。
したがって、パチンコ島Ｐ１において、同一機種のパチンコ機Ｐ２が配設される場合には、パチンコ島Ｐ１の全体で、パチンコ機Ｐ２の装飾と幕板Ｐ３の装飾により遊技空間が総合的に演出される。
【００２２】
また、呼び出しボタンは、プレーヤが店員を呼び出すためのボタンであり、幕板Ｐ３とパチンコ機Ｐ２との間にある領域Ｐ６に配置される。なお、この領域Ｐ６には、本実施形態においては、呼び出しボタンの他に、押しボタンに対応したランプや対応するパチンコ機Ｐ２の出玉の情報を表示する表示部が配置される。
【００２３】
表示システムＳにおける表示制御装置２は、図１に示すように、複数の表示装置１に接続される。
表示制御装置２は、本実施形態においては、ビデオデッキにより構成される。ビデオデッキ２２は、磁気テープ媒体であるビデオに記憶された動画像を再生可能に構成される。また、ビデオデッキ２は、所定の動画像をエンドレスで再生し、例えば、１０分で１セットとなる動画像（映像）を再生し続けるように構成される。
【００２４】
ビデオデッキ２により再生される映像は、例えば、パチンコ機Ｐ２に関する情報（機種情報や操作方法）や、店舗の情報や、店舗の近隣の情報等が流される。なお、表示制御装置２により再生される映像は、表示装置１の利用目的等により種々決定可能である。
【００２５】
次に、本実施形態の表示装置１について、図２から図８を用いて説明する。図２は、本考案のパチンコ島Ｐ１の正面図である。図３は、幕板Ｐ３に取り付けた状態を示す図で、（ａ）は標準の液晶パネル４を用いた表示装置１を取り付けた状態を示す斜視図、（ｂ）は小型の液晶パネル４を用いた表示装置１を取り付けた状態を示す斜視図である。図４は、表示装置１を幕板Ｐ３に取り付ける状態を示す図である。図５は、保持部３における角度調整機構を示す図で、（ａ）は第２保持部材３２に第１保持部材３１を取り付ける状態を示す図、（ｂ）は固定部材３３の取り付けを示す図、（ｃ）は液晶パネル４の角度の調節を示す図である。図６は、液晶パネル４と側方カバー５１を示す図で、（ａ）は液晶パネル４への側方カバー５１の取り付けを示す図、（ｂ）は液晶パネル４への側方カバー５１のネジ５１５による固定を示す図、（ｃ）は小型の液晶パネル４を用いる場合に用いる側方カバー５１を示す図である。図７は、液晶パネル４と上下カバー５２、５３を示す図で、（ａ）液晶パネル４への上下カバー５２、５３の取り付けを示す図、（ｂ）はアジャスト用ボルト５２６によるアジャスト用ナット５３５への固定を示す図である。図８は、カバー５を取り付けた液晶パネル４を背面方向から見た斜視図である。
【００２６】
表示装置１は、図２及び図３（ａ）に示すように、パチンコ機Ｐ２の上部に設けられる幕板Ｐ３のほぼ中央の幕板Ｐ３の前面に配置される。
【００２７】
表示装置１は、図４に示すように、表示面を幕板Ｐ３の前面に保持する保持部３と、表面の有効表示領域Ｒ１において表示面を構成し、保持部３を介して幕板Ｐ３に取り付けられる液晶パネル４と、液晶パネル４を覆うカバー５と、を備える。
【００２８】
このように構成される表示装置１は、図３（ｂ）に示すように、図３（ａ）に示す液晶パネル４よりも小型の液晶パネル４を用いることができる。また、表示装置１は、図３（ａ）に示す液晶パネル４よりも小型の液晶パネル４に限られず、異なる大きさの液晶パネル４を用いることができる。異なる大きさの液晶パネル４とは、縦横比が異なる液晶パネル４や厚さが異なる液晶パネル４である。また、カバー５の形状を変更することにより、矩形の液晶パネル４以外の液晶パネル４を用いることができる。表示装置１に異なる大きさの液晶パネル４を用いた場合については、後に詳述する。
【００２９】
液晶パネル４は、本実施形態においては、横長の矩形形状であり、ＴＦＴ（Ｔｈｉｎ  Ｆｉｌｍ  Ｔｒａｎｓｉｓｔｏｒ、薄膜トランジスタ）液晶パネル４として構成される。液晶パネルには、図６に示すように、所望の画像を表示する有効表示領域Ｒ１が中央に設けられ、有効表示領域Ｒ１の周囲には、画像表示に供しない額縁Ｒ２が設けられている。
【００３０】
液晶パネル４は、例えば、バックライト（図示せず）と、バックライト上に設けられる偏光板と、偏光板上に設けられるアレイ基板（図示せず）と、アレイ基板上に設けられるカラーフィルタ（図示せず）と、アレイ基板に接続される駆動回路（図示せず）と、カラーフィルタ上に設けられる偏光板（図示せず）と、インターフェース基板（図示せず）とを備える。なお、液晶パネル４は、種々の要素から構成可能である。
【００３１】
液晶パネル４は、上述したバックライト等がユニット化され、ケーブル（図示せず）が引き出されて提供される。液晶パネル４は、ケーブルによりビデオデッキ２と接続し、ビデオデッキ２から画像と電源が供給される。
【００３２】
また、液晶パネル４は、本実施形態においては、廃棄されたパチンコ機Ｐ２に搭載されていた液晶パネル４を用いる。液晶パネル４は、パチンコ機Ｐ２の搭載状態においては、例えば、パチンコ機Ｐ２の筐体に取り付けるための取り付け部を有するケースに覆われている場合がある。この場合において、液晶パネル４は、ケースから取り外した状態で後述するカバー５を取り付ける。
【００３３】
バックライトは、面光源であり、インバータに接続されたライトと偏光板にライトの光を導く導光板とを有する。
【００３４】
偏光板は、一方向からの光を通過させ、多方向の光を吸収、あるいは、反射や散乱等によって遮蔽する機能を有するように構成される。
【００３５】
アレイ基板は、ＴＦＴによる画素をマトリックス状に多数配列した基板により構成される。
【００３６】
駆動回路は、液晶パネル４を駆動するために駆動用集積回路（ドライバＩＣ）を付加し、それらを制御するコントローラ（制御用集積回路）等を搭載したプリント基板として構成される。
【００３７】
カラーフィルタは、可視光のうち特定の波長域の光を通過させ、特定の波長域の光を素阻止するフィルタとして構成される。
【００３８】
インターフェース基板は、出力機器（本実施形態においては、ビデオデッキ２）からの出力信号を液晶パネル４に表示可能に変換する基板である。本実施形態においては、当該プリント基板及びインターフェース基板は、液晶パネル４にユニット化されており、電源供給及び出力機器との接続のために、液晶パネル４からケーブルが引き出される。
【００３９】
なお、本実施形態においては、液晶パネル４は、リサイクルの要請等を考慮して、廃棄されたパチンコ機Ｐ２に搭載される液晶パネル４を用いたがこれに限られない。液晶パネル４は、例えば、既製品であっても、新たに設計したものであってもよい。この場合においても、液晶パネル４の大きさを考慮する必要がないために液晶パネル４の選択の幅が広がり、例えば、コスト的に有利な既製品を用いることや部品を用いることができるために、廃棄された液晶パネル４を用いる以外にも有効である。
【００４０】
表示装置１は、上述したように構成される液晶パネル４をカバー５で覆い、保持部３を介して、幕板Ｐ３に取り付けることにより、幕板Ｐ３の前面に表示面を配置する。
【００４１】
保持部３は、液晶パネル４を幕板Ｐ３の前面に保持可能であり、液晶パネル４の表示面の角度を調整可能な構成を備えている。保持部３は、図４に示すように、第１保持部材３１と、第２保持部材３２と、第１保持部材３１及び第２保持部材３２を固定する固定部材３３とを備える。
【００４２】
第１保持部材３１は、図４に示すように、幕板Ｐ３側に取り付けられる。また、第１保持部材３１は、図５（ａ）に示すように、第１取り付け部３１１と、第１突出部３１２とを備える。
【００４３】
第１取り付け部３１１は、４隅に第１ビス用開口３１３と第１ケーブル用開口３１４とを有する。
第１ビス用開口３１３は、幕板Ｐ３に第１取り付け部３１１を取り付けるためのビス（図示せず）が挿通可能な開口である。第１ケーブル用開口３１４は、液晶パネル４のケーブルが挿通可能な開口である。
【００４４】
また、幕板Ｐ３には、液晶パネル４のケーブルが挿通するケーブル用開口（図示せず）が形成されており、第１取り付け部３１１は、幕板Ｐ３に形成されるケーブル用開口に第１取り付け部３１１のケーブル用開口が一致するように幕板Ｐ３に取り付けられる。
【００４５】
第１突出部３１２は、第１蝶ネジ用開口３１５と突起３１６とを有する。
第１蝶ネジ用開口３１５は、図５（ｂ）に示しめすように、第１保持部材３１と第２保持部材３２とを固定するための蝶ネジ３３１が挿通可能な開口である。
【００４６】
突起３１６は、図５（ａ）に示すように、対応する後述する第２突出部３２２に形成される突起用孔３２４に挿入され、第２保持部材３２の後述する第２取り付け部３２１の角度を変更可能にする。また、突起３１６は、本実施形態においては、３つ形成され、第１蝶ネジ用開口３１５を中心に同心円状に配置される。
【００４７】
第２保持部材３２は、図４に示すように、液晶パネル４、カバー５側に取り付けられる。また、第２保持部材３２は、図５（ａ）に示すように、第２取り付け部３２１と、第２突出部３２２とを備える。
【００４８】
第２取り付け部３２１は、下カバー５３に第２取り付け部３２１を取り付けるためのビス（図示せず）が挿通可能な第２ビス用開口３２５を、４隅に有する。また、第２取り付け部３２１は、後述する下カバー５３のほぼ中央付近に取り付けられる。
【００４９】
第２突出部３２２は、第２蝶ネジ用開口３２３と突起用孔３２４とを有する。
第２蝶ネジ用開口３２３は、図５（ｂ）に示しめすように、第１保持部材３１と第２保持部材３２とを固定するための蝶ネジ３３１が挿通可能な開口である。
【００５０】
突起用孔３２４は、図５（ａ）に示すように、対応する突起３１６が挿入可能な孔である。突起用孔３２４は、本実施形態においては、５つ形成され、第２蝶ネジ用開口３２３を中心に同心円状に配置される。
【００５１】
本実施形態においては、突起３１６が３つ形成され、対応する突起用孔３２４が５つ形成されているために、第２取り付け部３２１は、第１取り付け部３１１と同じ角度、言い換えれば、幕板Ｐ３と同じ角度である標準状態と、標準状態よりも下方の角度となる下方状態と、標準状態よりも上方の角度となる上方状態との３つの角度の変更か可能となる。つまり、本実施形態の表示装置１は、表示面の角度を３段階に調整することができる。なお、突起３１６は、剛性等を考慮して３つ形成したがこれに限られない。また、突起用孔３２４は、本実施形態においては、突起３１６の個数と設定する表示面の角度の調整度合いに応じて５つ形成したがこれに限られない。
【００５２】
固定部材３３は、蝶ネジ３３１と蝶ネジ３３１に対応する蝶ネジ用ナット３３２を有する。固定部材３３は、本実施形態においては、表示面の角度調整を工具を用いずに素手で行えるように操作性を考慮して、蝶ネジ３３１及び蝶ネジ用ナット３３２を用いたがこれに限られない。表示装置１を設置後に角度調整可能で、第１保持部材３１と第２保持部材３２との締結と締結解除が可能であればよく、ボルトでもよい。
【００５３】
表示面の角度の変更は、まず、蝶ネジ３３１を回して蝶ネジ３３１と蝶ネジ用ナット３３２を第１保持部材３１と第２保持部材３２から取り外す。そして、突起３１６から突起３１６用穴を抜き取ることにより、第２保持部材３２を第１保持部材３１から取り外す。そして、所定の突起用孔３２４に突起３１６を挿入することにより、表示面の角度の変更が可能になる。
【００５４】
表示装置１は、図５（ｃ）に示すように、上段の３箇所の突起用孔３２４に突起３１６を挿入することで、下方状態にすることができ、中段の３箇所の突起用孔３２４に突起３１６を挿入することで、標準状態にすることができ、下段の３箇所の突起用孔３２４に突起３１６を挿入することで、上方状態にすることができる。
【００５５】
したがって、表示装置１は、上述した保持部３の構造により、表示面（液晶パネル４）の角度を変更することができる。表示装置１においては、表示面を下方状態すれば、例えば、着席しているパチンコ機Ｐ２を操作するプレーヤに見やすい位置に表示面を向けることができる。また、表示面を標準状態や上方状態すれば、例えば、パチンコ島Ｐ１の間を行き交う人に見やすい位置に表示面を向けることができる。
【００５６】
次に、液晶パネル４の額縁Ｒ２を覆うカバー５について、説明する。
カバー５は、図３（ａ）に示すように、２つの側方カバー５１と、上カバー５２と、下カバー５３とを有する。
【００５７】
側方カバー５１は、図６（ａ）に示すように、液晶パネル４の表示面側を覆う前面、表示面の反対側を覆う背面及び液晶パネル４の厚み方向側の面を覆う側面により構成され、断面コ字状に形成される。側方カバー５１には、液晶パネル４が前面、背面及び側面により囲まれるコ字形状の内方に配置される。
また、側方カバー５１は、液晶パネル４の大きさ毎に形成され、液晶パネル４の大きさに応じて、対応する大きさのものに交換して用いられる。
【００５８】
側方カバー５１の前面５１１は、液晶パネル４の有効表示領域Ｒ１の外方の額縁を覆う大きさに形成される。
側方カバー５１の側面５１２は、液晶パネル４の厚さよりも大きく形成される。
【００５９】
側方カバー５１の背面５１３は、側方カバー５１の前面５１１と同程度の大きさに形成され、ネジが挿通可能なネジ挿通孔５１４を有する。なお、側方カバー５１の背面５１３は、本実施形態においては、例えば、縦長矩形の板材を折り曲げる等により容易に形成できるように形成性を考慮した大きさに形成したがこれに限られない。側方カバー５１の背面５１３は、例えば、液晶パネル４との固定を行う部材となるネジ５１５が挿通可能なネジ挿通孔５１４を形成する部位に対応した部分のみでもよい。
【００６０】
液晶パネル４と側方カバー５１の取り付けについて説明する。液晶パネル４と側方カバー５１とは、図６（ａ）に示すように、ネジ５１５により連結される。ネジ５１５は、ネジ挿通孔５１４に挿通され、対応するナット５１６により、側方カバー５１に螺着される。この際、ネジの先端を液晶パネル４の背面を側方カバー５１の前面５１１に押し付ける位置に配置することで、液晶パネル４と側方カバー５１とを連結させることができる。
また、側方カバー５１と液晶パネル４への取り付けに際して、ネジ５１５と液晶パネル４の背面との間には、図６（ｂ）に示すように、ゴム５１７が設けられる。ゴム５１７を設けることにより、ネジ５１５の押圧面が拡大されるとともに、液晶パネル４の形状に影響を受けずに、ゴム５１７の押圧を行うことができる。
【００６１】
また、側方カバー５１は、上述したように液晶パネル４の大きさ毎に形成される。詳細には、側方カバー５１は、液晶パネル４の縦方向の長さに対応した長さに側方カバー５１の前面５１１、側面５１２及び背面５１３が形成され、額縁Ｒ２の領域に対応した大きさに側方カバー５１の前面５１１が形成される。つまり、図３（ａ）に示すような液晶パネル４に比して小型の図３（ｂ）に示すような液晶パネル４を用いる場合には、図６（ｃ）に示すように、液晶パネル４に対応して形成された側方カバー５１を用いる。
このように、側方カバー５１は、液晶パネル４の大きさ毎に形成されるために、用いられる液晶パネル４の大きさに合わせて、対応する側方カバー５１を選んで取り付ける。
【００６２】
上カバー５２は、図７（ａ）に示すように、液晶パネル４の前面に対応する前面５２１と、液晶パネル４の上面に対応する上面５２２と、液晶パネル４の背面に対応した背面５２３と、液晶パネル４の側面に対応して側面５２４と、を有する。
なお、上カバー５２は、本実施形態においては、例えば、射出成形等により各面（前面５２１、上面５２２、背面５２３及び側面５２４）が一体に形成される。
【００６３】
上カバー５２の上面５２２には、アジャスト用ボルト５２６が挿通するボルト挿通孔５２５が形成される。
【００６４】
上カバー５２の背面５２３は、液晶パネル４の中央部付近まで、液晶パネル４の背面を覆う大きさであり、上カバー５２と下カバー５３を液晶パネル４に取り付けた状態において、図８に示すように、配線抜け用開口５４を形成可能な大きさに形成される。
【００６５】
また、上カバー５２の背面５２３には、図８に示すように、液晶パネル４の取り付け状態において、液晶パネル４に取り付けられた側方カバー５１を避けるように切り欠かれた切り欠き部５２９が形成される。
【００６６】
下カバー５３は、図７（ａ）に示すように、液晶パネル４の前面に対応する前面５３１と、液晶パネル４の底面に対応する底面５３２と、液晶パネル４の背面に対応した背面５３３と、液晶パネル４の側面に対応した側面５３４と、を有する。
また、下カバー５３は、上下カバー５２、５３の液晶パネル４への取り付け状態において、上カバー５２のボルト挿通孔５２５に対応する位置に配置されるアジャスト用ナット５３５を有する。
なお、下カバー５３は、本実施形態においては、射出成形等により各面（前面５３１、底面５３２、背面５３３、側面５３４）が一体に形成される。
【００６７】
下カバー５３の背面５３３は、図８に示すように、液晶パネル４の中央部まで、液晶パネル４の背面を覆う大きさに延設されており、上カバー５２と下カバー５３を液晶パネル４に取り付けた状態において、配線抜け用開口５４を形成可能な大きさに形成される。
また、下カバー５３の背面５３３には、液晶パネル４の取り付け状態において、液晶パネル４に取り付けられた側方カバー５１を避けるように切り欠かれた切り欠き部５２９が形成される。また、下カバー５３の背面５３３には、ビス（図示せず）により、第２取り付け部３２１が取り付けられる。
【００６８】
アジャスト用ナット５３５は、図７（ａ）に示すように、円柱状に形成され、一端にアジャスト用ボルト５２６に対応したボルト孔５３６を有し、他端が下カバー５３の底面に取り付けられる。
【００６９】
上カバー５２と下カバー５３とは、図７（ｂ）に示すように、上カバー５２収容部に液晶パネル４の上部を収容し、下カバー５３収容部に液晶パネル４の下部を収容した状態で、アジャスト用ボルト５２６をボルト挿通孔５２５に挿通させて、対応するアジャスト用ナット５３５に螺合させることで、液晶パネル４を保持して連結可能となる。
また、上カバー５２と下カバー５３とは、アジャスト用ボルト５２６の螺合状態を調整することにより、位置を調整することができる。つまり、液晶パネル４の高さ方向の位置を調整することができる。
【００７０】
例えば、図３（ａ）に示す大きさの液晶パネル４から図３（ｂ）に示す大きさの液晶パネル４を表示装置１に用いるためには、まず、図３（ｂ）に示す大きさの液晶パネル４に対応した図６（ｃ）に示す大きさの側方カバー５１に交換する。この際、用いる液晶パネル４の厚さに応じて、アジャスト用ボルト５２６の先端の位置を調整する。
【００７１】
次に、表示装置１においては、液晶パネル４に上カバー５２と下カバー５３を取り付ける。この際、液晶パネル４の大きさに応じて、図７（ｂ）に示すように、アジャスト用ボルト５２６の螺合具合を調整して、液晶パネル４に上カバー５２と下カバー５３とを取り付ける。この際、液晶パネル４の大きさがアジャスト用ボルト５２６の調節域よりも大きい場合には、アジャスト用ナットに到達し、螺合を調整可能な長さのボルト軸の長いアジャスト用ボルト５２６を用い、液晶パネル４の大きさがアジャスト用ボルト５２６の調節域よりも大きい場合には、上カバー５２からの突出を考慮して、ボルト軸の短いアジャスト用ボルト５２６を用いる。
【００７２】
このように側方カバー５１、上カバー５２及び下カバー５３を液晶パネル４に取り付けることにより、異なる大きさの液晶パネル４を取り付けることが可能となる。
【００７３】
このように構成される表示装置１は、種々の大きさ（縦横の長さや厚さ）の液晶モニタを用いることができる。このため、様々な既製品に対応することができる上に、廃棄されたパチンコ機Ｐ２の液晶モニタを流用して表示装置１の液晶パネル４として用いることが可能になる。これにより、パチンコ機Ｐ２のリサイクルの要請を満たすとともに、表示装置１を安価に製造することができる。
【００７４】
次に、以下においては、図３（ｂ）に示した大きさの液晶パネル４を用いた場合の例について説明する。
【００７５】
また、表示装置１においては、図３（ａ）に示す液晶パネル４とは異なる大きさの液晶パネル４を取り付けることができる。以下、図に示す液晶パネル４よりも小型の液晶パネル４（詳細には、図に示す液晶パネル４よりも有効表示領域Ｒ１が狭く、薄く、そして縦方向に短い液晶パネル４）を取り付ける場合について、説明する。
【００７６】
図３（ａ）に示す液晶パネル４よりも有効表示領域Ｒ１が狭い液晶パネル４に対しては、図６（ｃ）に示すような側方カバー５１を用いる。
【００７７】
まず、側方カバー５１を取り付ける。この際、取り付ける液晶パネル４が図に示す液晶パネル４よりも薄いために、ネジ軸が長いネジ５１５を用いる。ネジ軸が長いネジ５１５を用いることで、ネジ軸の先端で液晶パネル４を側方カバー５１の前面に押し付けて、側方カバー５１を液晶パネル４に固定される。
【００７８】
次に、上カバー５２及び下カバー５３を液晶パネル４に取り付ける。この際、取り付ける液晶パネル４が図３（ａ）に示す液晶パネル４よりも縦方向に短いために、ボルト軸の短いアジャスト用ボルト５２６を用いる。ボルト軸が短いアジャスト用ボルト５２６を用いることで、上カバー５２からアジャスト用ボルト５２６のボルト軸の余剰部分が突出しなくなる。
【００７９】
なお、図３（ａ）に示す液晶パネル４よりも小型の液晶パネル４を用いる例について説明したが、これに限られず、図３（ａ）に示す液晶パネル４よりも大型の液晶パネル４（詳細には、例えば、図３（ａ）に示す液晶パネル４よりも縦方向に大きく、厚さ方向に大きい液晶パネル４）にも取り付けることができる。この場合、液晶パネル４の縦方向及び有効表示領域Ｒ１に対応した側方カバー５１を交換して、上カバー５２と下カバー５３のアジャスト用ボルト５２６の螺合具合を調整することにより、図３（ａ）に示す液晶パネル４よりも大型の液晶パネル４を用いることができる。
【００８０】
以上のように構成される表示装置１においては、以下のような効果を奏する。
表示装置１においては、保持部３により幕板Ｐ３の前面に表示面を配置するために、既存の幕板Ｐ３を用いることができるので、幕板Ｐ３とパチンコ機Ｐ２に施された装飾により、遊技空間が演出されている場合等においては、遊技空間の統一感を崩すことなく新たな表示面を提供することができる。
【００８１】
また、表示装置１においては、用いられる液晶パネル４の大きさに応じて、側方カバー５１を交換し、アジャスト用ボルトによる上カバー５２と下カバー５３との連結具合を調整することにより、異なる大きさの液晶パネル４を用いることができる。したがって、表示装置１においては、例えば、廃棄されたパチンコ機Ｐ２に搭載されていた液晶パネル４や既製品の液晶パネル４を用いることができ、リサイクルの要請を満たすことができたり、コスト面や製造性等の製造者に有利に働くように自由に液晶パネル４を選択したりすることができる。
【００８２】
また、表示装置１においては、保持部３に表示面の角度を調整可能な角度調整機構を備えているために、例えば、パチンコ機Ｐ２を操作するプレーヤ等に適した方向に表示面を向けることができ、表示効果を高めることができる。
【００８３】
また、表示装置１においては、ネジにより液晶パネル４を側方カバー５１の前面に押し付けて液晶パネル４に側方カバー５１を取り付けるために、液晶パネル４の形状等に影響されることなく側方パネルを液晶パネル４に取り付けることができる。
【００８４】
また、表示装置１においては、保持部３により幕板Ｐ３の表面に表示装置１が取り付けられるために、幕板Ｐ３の開閉操作時に表示装置１が邪魔になることが無い。
【００８５】
以上、本考案に係る表示装置１の好適な実施形態について説明したが、本考案に係る表示装置１は、上述した実施形態に限定されることなく種々の形態で実施することができる。
【００８６】
なお、本実施形態において、液晶パネル４は、パチンコ機Ｐ２から取り外し、ケースを取り外した状態で用いられるが、ケースが取り付けられた状態でも用いることができる。この場合においては、ケースを想定した大きさのカバー５を用いることとなる。つまり、液晶パネル４としては機能しないパチンコ機Ｐ２の筐体への取り付け部等を覆う大きさのカバー５を用いることで可能となる。
【００８７】
本実施形態においては、表示装置１に表示する画像を、ビデオデッキ２から出力される映像としたがこれに限られず、種々の画像（静止画像及び動画像）を用いることができる。
【００８８】
本実施形態においては、液晶パネル４として説明したがこれに限られない。本実施形態においては、所望の画像を表示可能な画像表示パネルであればよく、例えば、有機ＥＬ（Ｅｌｅｃｔｒｏ  Ｌｕｍｉｎｅｓｃｅｎｃｅ）やプラズマディスプレイ等であってもよい。
【００８９】
本実施形態においては、横長矩形形状の液晶パネル４を用いたがこれに限られない。種々の液晶パネル４の形状に対応可能であり、例えば、縦長矩形形状の液晶パネル４に用いることができる。
【００９０】
本実施形態においては、インターフェース基板等の基板を液晶パネル４にユニット化し、カバー５で保持したがこれに限られない。インターフェース基板等の基板は、取り扱いの容易さや液晶パネル４の構成等により配置場所が選択されればよく、例えば、幕板Ｐ３の内部に配置してもよい。
【００９１】
液晶パネル４や、バックライトのインバータ基板や、インターフェース基板をアクリル等のケースでユニット化したモニタユニットをそのまま流用することができる。
【００９２】
また、表示制御装置２は、画像の再生信号を液晶パネル４に出力可能な構成であればよく、例えば、パーソナルコンピュータでもよい。パーソナルコンピュータにより構成した場合には、例えば、ハードディスクや各種媒体に記憶された画像（静止画像及び動画像）データを表示装置１に表示させる。また、パーソナルコンピュータがインターネットに接続されている場合には、即時性のある情報（例えば、ニュース等）を表示させることができ、パチンコ機Ｐ２と同期して接続される場合には、パチンコ機Ｐ２に対応する表示（例えば、入賞時に対応する表示）を行うことができる。また、各表示装置１に異なる画像を表示させるように構成することもできる。また、表示タイミング等も種々設定可能になる。
【００９３】
また、本実施形態の表示装置１において、縦方向のカバー５の取り付けの調節は、所定の長さに形成されたナットに対して、ボルト長さを変更、またはボルトの螺合具合を調節して行っていたが、これに限られない。ナットの長さを変えるように構成してもよく、例えば、ナットを振り出し式に伸縮自在に形成してもよい。また、ナットとボルト間にスペーサを取り付けて調整してもよい。
【００９４】
また、本実施形態においては、液晶パネル４の側方に側方カバー５１、５１を設け、液晶パネル４の上方に上カバー５２を設け、液晶パネル４の下方に下カバー５３を設けたがこれに限られず、例えば、液晶パネル４の側方に上下カバー５２、５３を設け、液晶パネル４の上方及び下方に側方カバー５１、５１を設けるようにしてもよい。
【００９５】
また、本実施形態においては、液晶パネル４を保持部３を介して、幕板Ｐ３に直接取り付けたがこれに限られない。液晶パネル４は、幕板Ｐ３の前面に配置されていればよく、例えば、幕板Ｐ３以外の幕板Ｐ３が取り付けられる天板Ｐ４等に保持部３を介して取り付けて幕板Ｐ３の前面に配置されていてもよい。
【００９６】
また、本実施形態においては、液晶パネル４をパチンコ機Ｐ２の上部の幕板Ｐ３の前面に配置する場合を述べたが、これに代えて、パチンコ機Ｐ２の上部であり幕板Ｐ３の下部の呼び出しボタン等が配置される領域Ｐ６の前面に配置してもよい。この場合、液晶パネル４の背面に呼び出しボタン等が配置されることを避けるために呼び出しボタン等をずらして配してもよい。またさらに、液晶パネル４をパチンコ機Ｐ２とパチンコ機Ｐ２の間のサンドに配置してもよい。
【符号の説明】
【００９７】
１      表示装置
２      ビデオデッキ（表示制御装置）
３      保持部
４      液晶パネル（画像表示パネル）
５      カバー
５１    側方カバー（第１カバー）
５２    上カバー（第２カバー）
５３    下カバー（第２カバー）
５２６  アジャスト用ボルト（ボルト）
５３５  アジャスト用ナット（ナット）
Ｐ１    パチンコ島（遊技機島）
Ｐ２    パチンコ（遊技機）
Ｐ３    幕板
Ｒ１    有効表示領域
Ｒ２    額縁
【図１】
0003162320.tif 000003
【図２】
0003162320.tif 000004
【図３】
0003162320.tif 000005
【図４】
0003162320.tif 000006
【図５】
0003162320.tif 000007
【図６】
0003162320.tif 000008
【図７】
0003162320.tif 000009
【図８】
0003162320.tif 000010